(57)【要約】【課題】トイレ室の空間全体のごみや塵を効率的に吸引、収集できるごみ収集機能を有した洋風便器装置を提供する。【解決手段】洋風便器装置はごみ収集部２０を有している。このごみ収集部２０は、吸引口２２を略全周にわたり配した外周壁部２１と、外周壁部２１の内側に吸引口２２に対応させて配したフィルター２３と、ごみ収集空間２４と、吸引ファン２５と、フィルター２３を通過してきた空気を外部に排出する排出口２６とを備えている。【選択図】図１
2018009339.tif 000002
【特許請求の範囲】
【請求項１】
ごみ収集部を有した洋風便器装置であって、
前記ごみ収集部は、吸引口を略全周にわたり配した外周壁部と、該外周壁部の内側に前記吸引口に対応させて配したフィルターと、ごみ収集空間と、吸引ファンと、前記フィルターを通過してきた空気を外部に排出する排出口とを備えたことを特徴とする洋風便器装置。
【請求項２】
請求項１において、
前記ごみ収集部は便器本体の下部側に配されている、洋風便器装置。
【請求項３】
請求項１または２において、
ごみ収集空間は複数の分離空間を有しており、
前記吸引口と、前記フィルターと、前記吸引ファンとが前記分離空間ごとに設けられている、洋風便器装置。
【請求項４】
請求項１または２において、
前記ごみ収集部は、前記吸引ファンを前記外周壁部の内部において周方向に沿って移動させる軌道部、および、前記吸引ファンを移動制御する制御部をさらに備えている、洋風便器装置。
【発明の詳細な説明】
【技術分野】
【０００１】
本発明は、ごみ収集部を有した洋風便器装置に関する。
【背景技術】
【０００２】
従来には、ごみ収集機能を有した洋風便器装置が提案されている（たとえば、特許文献１参照）。このものは、便器本体の周壁部の側面または前面に吸引口を設けて、便器本体の内部に配設したファンで、吸引口を通じて吸い取ったごみや塵を収集するものである。
【先行技術文献】
【特許文献】
【０００３】
【特許文献１】特開２００８−８１９６４号公報
【発明の概要】
【発明が解決しようとする課題】
【０００４】
しかしながら、上記文献のものは吸引口が周壁部の一部にしか形成されていない。そのため、吸引口の近傍や吸引口が向く方向からのごみ収集はできても、トイレ室の空間全体のごみや塵の収集を効率的に行うことはできない。
【０００５】
本発明は、このような問題を解決するために提案されたもので、その目的は、トイレ室の空間全体のごみや塵を効率的に吸引、収集できるごみ収集機能を有した洋風便器装置を提供することにある。
【課題を解決するための手段】
【０００６】
上記目的を達成するために、本発明の洋風便器装置は、ごみ収集部を有した洋風便器装置であって、ごみ収集部は、吸引口を略全周にわたり配した外周壁部と、外周壁部の内側に前記吸引口に対応させて配したフィルターと、ごみ収集空間と、吸引ファンと、フィルターを通過してきた空気を外部に排出する排出口とを備えたことを特徴とする。
【発明の効果】
【０００７】
本発明の洋風便器装置によれば、上述の構成となっているため、トイレ室の空間全体のごみや塵を効率的に吸引、収集することができる。
【図面の簡単な説明】
【０００８】
【図１】本発明の一実施形態に係る洋風便器装置の説明図である。（ａ）は洋風便器装置の側面図、（ｂ）は同背面図である。
【図２】洋風便器装置の要部（ごみ収集部）の説明図である。（ａ）は図１（ａ）のＡ−Ａ線に対応した断面図、（ｂ）は図２（ａ）のＢ−Ｂ線に対応した部分拡大断面図である。
【図３】外周壁部とフィルターの分離構造を示す概略平面図である。
【図４】本発明の他の実施形態に係る洋風便器装置の要部（ごみ収集部）の説明図である。（ａ）は図１（ａ）のＡ−Ａ線に対応した断面図、（ｂ）は図４（ａ）のＣ−Ｃ線に対応した、内部構造の図示を省略した縦断面図である。
【図５】本発明のさらに他の２実施形態に係る洋風便器装置の要部の説明図である。（ａ）は洋風便器装置の側面図、（ｂ）は洋風便器装置の内部構造を示した部分縦断面図である。
【発明を実施するための形態】
【０００９】
以下に、本発明の実施の形態について、添付図面をもとに説明する。まず、種々の実施形態に係る洋風便器装置の共通的な基本構成について説明する。
【００１０】
洋風便器装置はごみ収集部２０を有した装置である。ごみ収集部２０は、吸引口２２を略全周にわたり配した外周壁部２１と、外周壁部２１の内側に吸引口２２に対応させて配したフィルター２３と、ごみ収集空間２４と、吸引ファン２５と、フィルター２３を通過してきた空気を外部に排出する排出口２６とを備えている。
【００１１】
後述する実施形態に係る洋風便器装置は、図１（ｂ）に示すように、外周壁部２１の背面側にも吸引口２２を設けてあるが、背面側に設けないものであってもよい。つまり、吸引口２２を配する部位としては、外周壁部２１の一方の側面、前面および他方の側面を少なくとも含む程度の略全周の面であればよい。また、吸引口２２としては、図１（ａ）（ｂ）に示すように、周方向に沿って間隔をあけて複数のものが並ぶように設けられればよい。
【００１２】
なお、ごみ収集部２０は、後述する実施形態に係る洋風便器装置のように、便器本体１０の下部側（便器本体１０の下方または便器本体１０自体の下部など）に配されることが望ましいが、それには限定されない。
【００１３】
このような洋風便器装置によれば、外周壁部２１の略全周にわたり吸引口２２を有したごみ収集部２０を備えているため、トイレ室の空間全体のごみや塵を効率的に吸引、収集することができる。このごみ収集部２０によれば、略全周がトイレ室空間に接する外周壁部２１を有効に利用してごみ収集を実施することができる。
【００１４】
以下、各実施形態に係る洋風便器装置について詳細に説明する。
【００１５】
図１に示した洋風便器装置は、図１（ａ）（ｂ）に示すように、便器本体１０が平面視でおおむね馬蹄形とされ、その平面視外形の輪郭をなす便器本体１０の周壁部１１の内部空間にはボウル部１２などが配され、上部には回動可能な便蓋１３が取り付けてある。
【００１６】
図１に示した洋風便器装置は、ごみ収集部２０が便器本体１０の下方に配されている。具体的には、ごみ収集部２０は便器本体１０とは別体のものが、便器本体１０を支持するように床面上に設置されている。
【００１７】
ごみ収集部２０は、平面視の輪郭が便器本体１０よりもやや小さな馬蹄形とされ（図２（ａ）参照）、真上から見た場合には、便器本体１０により全体が隠されている。図１（ａ）（ｂ）に示すように、ごみ収集部２０の上端には、便器本体１０の底部に取り付けられたフレーム１４に固定するための固定板１７が取り付けられている。
【００１８】
図２（ｂ）に示すように、ごみ収集部２０は、底板２０ａと天板２０ｂと外周壁部２１とよりなる外郭部を備えている。外郭部で囲まれたごみ収集空間２４における外周側には竪板２０ｃが配されて、ごみ収集空間２４が複数の空間に仕切られている。この竪板２０ｃは底板２０ａと天板２０ｂとに挟まれるように固定されている。
【００１９】
竪板２０ｃは周方向に分離取り付けされている。図２（ａ）（ｂ）に示すように、ごみ収集空間２４は竪板２０ｃによって仕切られた４つの分離空間２４ａ（分離ダクト２４ａ）を有している。それぞれの分離空間２４ａには吸引ファン２５が取り付けてあり、その分離空間２４ａにおいて個別に空気が流通し、個別にごみの収集ができるようになっている。
【００２０】
外周壁部２１は周方向に４つに分離された分離周壁２１ａよりなる。それぞれの分離周壁２１ａが分離空間２４ａに対応している。分離周壁２１ａのそれぞれには、その長手方向の略全長にわたるように複数の吸引口２２が縦横に並ぶように開設されている。
【００２１】
また、分離周壁２１ａの内側の面には、吸引口２２を塞ぐように、かつ分離ダクト２４ａの外側を向いた開口を塞ぐようにフィルター２３が取り付けてある。このフィルター２３としては、図３に示すように、分離周壁２１ａに対応したものが用いられる。分離周壁２１ａは底板２０ａ、天板２０ｂに対して着脱自在とされ、フィルター２３は分離周壁２１ａに対して着脱自在とされている。
【００２２】
また、分離周壁２１ａの長手方向の端部は分離ダクト２４ａの端部よりも横（周）方向に突出しており、隣接する分離周壁２１ａの端部どうしの継ぎ目に排出口２６が形成されている。この排出口２６は、分離ダクト２４ａ間の通気路２４ｃを介して、吸引ファン２５で吸引した空気が集結する中央空間２４ｂと連通している。
【００２３】
ごみ収集部２０は、吸引ファン２５が稼働すれば、外周壁部２１の吸引口２２からトイレ室内の空気を吸引し、フィルター２３でごみや塵を集める。ごみや塵が除去され分離ダクト２４ａから中央空間２４ｂに排出された空気は通気路２４ｃを通って排出口２６から出ていく。
【００２４】
このように、この洋風便器装置は、ごみ収集部２０で外周壁部２１の略全周においてごみ収集が行える構成となっているため、トイレ室のごみや塵を効率的に収集することができ、トイレ室の空気を清浄化することができる。本実施形態のものは、フィルター２３が着脱自在となっているため、フィルター２３の洗浄や取り換えを簡単に行うことができる。
【００２５】
なお、便器本体１０が、その背面をトイレ室の壁面に接触または近接させて設置される場合には、背面側の分離周壁２１ａを吸引口２２を有しない構成としてもよい。もちろんその場合は、フィルター２３も不要である。しかしながら、本実施形態のもののように背面側にも吸引口２２が設けてあれば、壁面と背面側の分離周壁２１ａの間の手が届きそうにない隙間に溜まったごみ等をごみ収集部２０の吸引力で収集、除去できるため、むしろ便利である。
【００２６】
また、ごみ収集部２０は便器本体１０の下方に配されているため、床に溜まったごみや塵を効率的に収集、除去でき、簡易な掃除機として利用することができる。また、本実施形態のもののように、ごみ収集部２０は便器本体１０の下方に配され、かつごみ収集部２０の平面視寸法が便器本体１０よりも小さいため、使用者にとっては邪魔にならず、美観を損なうおそれもない。
【００２７】
上述したように、本ごみ収集部２０は、ごみ収集空間２４が複数の分離空間２４ａを有した構造となっており、分離空間２４ａに対応して吸引口２２と、フィルター２３と、吸引ファン２５が設けられている。そのため、外周壁部２１の略全周において均一なごみ収集が実施され得る。本実施形態のようにフィルター２３を着脱自在としたものでは、洗浄や取り換えも個別にできるので、保守がしやすく、利便性が高い。
【００２８】
また、本実施形態のごみ収集部２０は、中央空間２４ｂの上方が天板２０ｂで閉ざされた構成となっているが、外周壁部２１の排出口２６に代えて、天板２０ｂの中央に排出口用の孔を設けてもよい。さらに、天板２０ｂを設けず上方が全開したものであってもよい。つまり、この上方開口が空気の排出口２６として作用する。なお、天板２０ｂを有さないものでは、分離ダクト２４ａは上方を閉ざした構成とすることが望ましいことは言うまでもない。
【００２９】
このように排出口を上部に設けたものでは、そこから排出された空気が便器本体１０の内部の空間に入っていく。しかしながら、図１に示すように便器本体１０とごみ収集部２０との間に隙間Ｓがあれば、その隙間Ｓも排出口２６として作用するため、トイレ室内の空気の循環が滞るおそれはない。
【００３０】
また、ごみ収集部２０は、その全体を便器本体１０の下方よりスライドさせて取り出しできるようにしてもよい。そのような構造にすれば、ごみ収集部２０の内部の掃除も簡単にでき、常に清潔な状態に保持しておくことができる。また、フィルター２３の取り外しもしやすくなる。
【００３１】
また、便器本体１０が床のみに固定されたものではなく、壁付けされたものでもよい。そのような場合でも、外周壁部２１が便器本体１０の平面外形よりも内側に配されていれば、ごみ収集部２０は壁側の面を含む略全周からごみや塵を収集することができる。
【００３２】
ついで、他の実施形態に係る洋風便器装置について、図４を参照して説明する。図４（ａ）（ｂ）はいずれもごみ収集部２０の内部構造を示す図であり、図４（ａ）は図１（ａ）のＡ−Ａ線に対応した断面図、図４（ｂ）は図４（ａ）のＣ−Ｃ線に対応した、内部構造の図示を省略した縦断面図である。なお、図１のものと同様、本実施形態においても、ごみ収集部２０は便器本体１０の下方に配されている。便器本体１０は図１のものと同様であり、その図示および説明は割愛する。
【００３３】
ごみ収集部２０は、底板２０ａと天板２０ｂと外周壁部２１よりなる外郭部を備えている。外周壁部２１の略全周には吸引口２２が形成されている。外周壁部２１の内側に環状のフィルター２３が設けてある。環状の外周壁部２１に囲まれた内部空間がごみ収集空間２４とされる。また、天板２０ｂの中央には丸孔よりなる排出口２６が開設してある。なお、天板２０ｂを設けず中央空間２４ｂの上方が全開したものであってもよい。
【００３４】
外周壁部２１およびフィルター２３はそれぞれ、図１のものと同様、複数に分離されている（図示省略）ことが望ましいが、環状の一体のものであってもよい。一方、ごみ収集空間２４は分離ダクト２４ａ（図２参照）を有していない。また、吸引ファン２５についても分離構造に対応したものではなく、１台の吸引ファン２５が吸引口２２、フィルター２３の略全周に対応して吸引動作をする構成となっている。
【００３５】
具体的には、フィルター２３の内側の空間に、フィルター２３の内面に接触または近接するように吸引ファン２５が設けてあり、その吸引ファン２５を外周壁部２１の内部において周方向に沿って移動させる軌道部２７、および、吸引ファン２５を移動制御する制御部２８が設けてある。
【００３６】
軌道部２７は、レールの上面に歯車が連続形成されたラックとされる。一方、吸引ファン２５にはピニオン（円形歯車）が取り付けられており、使用者の操作などにより制御部２８が吸引ファン２５を制御してレール上を移動させるようになっている。なお、軌道部２７での吸引ファン２５の移動はラック・ピニオン構造によるものに限られず、他の構造を用いてもよい。
【００３７】
吸引ファン２５は、制御部２８より動作指示を受けたときには、図４に示すように、軌道部２７の略全長にわたり往復移動を繰り返し、移動しながら吸引動作を実行する。なお、吸引ファン２５が複数設置され、それぞれの吸引ファン２５がそれぞれに定められた区間を往復移動できるようにしてもよい。
【００３８】
こうして、本洋風便器装置のごみ収集部２０は、外周壁部２１の略全周においてごみ収集を行うことができる。このごみ収集部２０によれば、吸引ファン２５の設置数を少なくできるため、吸引運転の消費電力を低く抑えることができる。
【００３９】
ついで、他の実施形態に係る、図５（ａ）（ｂ）に示した２例の洋風便器装置について説明する。
【００４０】
図５（ａ）の洋風便器装置は、便器本体１０の周壁部１１の下部がごみ収集部２０の外周壁部２１を兼ねており、外周壁部２１を兼ねた部位には略全周にわたり吸引口２２が開設されている。ごみ収集部２０における他の構成部である、フィルター２３、吸引ファン２５、分離ダクト２４ａ（以上、図２（ａ）参照）などについては、図２のものとおおむね同様である。なお、図５（ａ）にはごみ収集空間２４を破線で示した。
【００４１】
図５（ａ）に示した洋風便器装置によれば、便器本体１０の周壁部１１でごみ収集部２０の内部が隠されているため、また、ごみ収集部２０を設けたことにより段差や隙間が形成されないため、美観が損なわれるおそれはほとんどない。また、フィルター２３の取り出しがしやすいように、便器本体１０の周壁部１１の一部を開閉できるようにしてもよい。
【００４２】
図５（ｂ）の洋風便器装置は、周壁部１１の高さ方向の中央部がごみ収集部２０の外周壁部２１を兼ねており、その中央部に吸引口２２が開設されている。吸引口２２は図５（ｂ）に示すように、周壁部１１の両方の側部に分離形成されている。吸引口２２を周壁部１１の側面に設けることで、便器本体１０の略全周においてごみ収集ができるようになっている。
【００４３】
周壁部１１（外周壁部２１）に設けた吸引口２２は、それぞれの内面にフィルター２３が取り付けられており、ボウル部１２の側部側において下方に延びた分離ダクト２４ａに連通している。分離ダクト２４ａは、便器本体１０の下方に設けたファンユニット２９に連通している。ファンユニット２９と分離ダクト２４ａとが連通した連通口２９ａに、吸引ファン２５が取り付けてある。ファンユニット２９の周壁には、空気を排出する排出口２６が開設されている。
【００４４】
ようするに、このごみ収集部２０は、便器本体１０の内部に設けられた複数の分離空間２４ａと、便器本体１０の下方に設けられたファンユニット２９内空間とよりなるごみ収集空間２４を有している。
【００４５】
このように、このごみ収集部２０は、便器本体１０の高さ方向の中央に吸引口２２が設けてあるので、トイレ室空間に浮遊した塵を吸引しやすく、空気清浄機能を効果的に発揮することができる。また、分離ダクト２４ａおよびフィルター２３を便器本体１０内の予備空間に配設した構成となっているため、便器本体１０の内部の余剰空間を有効に活用することができる。
【００４６】
また、図５（ｂ）のものを含む、以上に示した種々の洋風便器装置は、フィルター２３が吸引口２２を塞ぐように取り付けられた構成となっているため、ごみ収集部２０の空気吸引の入り口部分でごみや塵を収集除去することができる。そのため、ごみ収集部２０の内部空間がごみや塵で汚れることがほとんどない。
【００４７】
なお、フィルター２３を吸引口２２から離間させて配してもよい。たとえば、図５（ｂ）の例では、フィルター２３をファンユニット２９の連通口２９ａに設けてもよい。つまり、フィルター２３は吸引口２２に対応して設けられれば、その設置個所は限定されない。また、フィルター２３として袋状のものを用いて、掃除機のように多量のごみや塵を溜めこみできるようにしてもよい。
【符号の説明】
【００４８】
１０          便器本体
１７          固定板
２０          ごみ収集部
２１          外周壁部
２１ａ        分離周壁
２２          吸引口
２３          フィルター
２４          ごみ収集空間
２４ａ        分離空間（分離ダクト）
２５          吸引ファン
２６          排出口
２７          軌道部
２８          制御部
【図１】
2018009339.tif 000003
【図２】
2018009339.tif 000004
【図３】
2018009339.tif 000005
【図４】
2018009339.tif 000006
【図５】
2018009339.tif 000007